(57)【要約】【課題】  筐体部に内蔵されるアンテナ装置に関し、アンテナ動作を切り換えることにより、アンテナ特性の劣化を防止する。【解決手段】  筐体部（６）に内蔵されるアンテナ装置（１８）であって、筐体部に設置された第１及び第２のアンテナ素子部（アンテナエレメント３０、短絡部３２）と、第１のアンテナ素子部と第２のアンテナ素子部との間に介挿させて開閉する切換部（スイッチ２１）とを備える。切換部が開状態となることにより第１のアンテナ素子部又は第２のアンテナ素子部からなるアンテナ、切換部が閉状態となることにより第１のアンテナ素子部及び第２のアンテナ素子部からなるアンテナを構成させる。【選択図】        図２
2006129386.tif 000002
【特許請求の範囲】
【請求項１】
筐体部に内蔵されるアンテナ装置であって、
前記筐体部に設置された第１及び第２のアンテナ素子部と、
前記第１のアンテナ素子部と前記第２のアンテナ素子部との間に介挿させて開閉する切換部と、
を備え、前記切換部が開状態となることにより前記第１のアンテナ素子部又は前記第２のアンテナ素子部からなるアンテナ、前記切換部が閉状態となることにより前記第１のアンテナ素子部及び前記第２のアンテナ素子部からなるアンテナを構成させることを特徴とするアンテナ装置。
【請求項２】
前記筐体部に開閉機構を備え、この開閉機構の開閉操作に応じて前記切換部を開状態又は閉状態に切り換える構成としたことを特徴とする請求項１記載のアンテナ装置。
【請求項３】
ヒンジ部を備えて開閉される筐体部に内蔵されるアンテナ装置であって、
前記筐体部に設置された第１及び第２のアンテナ素子部と、
前記筐体部の開閉を検出する開閉検出部と、
前記第１のアンテナ素子部と前記第２のアンテナ素子部との間に設置され、前記開閉検出部の前記開閉の検出により開閉される切換部と、
を備え、前記切換部が開状態となることにより前記第１のアンテナ素子部又は前記第２のアンテナ素子部からなるアンテナ、前記切換部が閉状態となることにより前記第１のアンテナ素子部及び前記第２のアンテナ素子部からなるアンテナを構成させることを特徴とするアンテナ装置。
【請求項４】
筐体部に内蔵されるアンテナ装置であって、
前記筐体部に設置されたアンテナ素子部と、
前記筐体部に設置された接地導体と、
この接地導体と前記アンテナ素子部とを短絡させる短絡部と、
この短絡部に介挿されて開閉される切換部と、
を備え、前記切換部が開状態となることにより前記アンテナ素子部からなるアンテナ、前記切換部が閉状態となることにより前記アンテナ素子部と前記短絡部とからなるアンテナを構成させることを特徴とするアンテナ装置。
【請求項５】
前記筐体部に開閉機構を備え、この開閉機構の開閉操作に応じて前記切換部を開状態又は閉状態に切り換える構成としたことを特徴とする請求項４記載のアンテナ装置。
【請求項６】
ヒンジ部を備えて開閉される筐体部に内蔵されるアンテナ装置であって、
前記筐体部に設置されたアンテナ素子部と、
前記筐体部に設置された接地導体と、
この接地導体と前記アンテナ素子部とを短絡させる短絡部と、
前記筐体部の開閉を検出する開閉検出部と、
前記短絡部に介挿され、前記開閉検出部の前記開閉の検出に基づき、開閉される切換部と、
を備え、前記切換部が開状態となることにより前記アンテナ素子部からなるアンテナ、前記切換部が閉状態となることにより前記アンテナ素子部と前記短絡部とからなるアンテナを構成させることを特徴とするアンテナ装置。
【請求項７】
筐体部にアンテナ装置を内蔵させた無線通信装置であって、
前記筐体部に設置された第１及び第２のアンテナ素子部と、
前記第１のアンテナ素子部と前記第２のアンテナ素子部との間に介挿させて開閉する切換部と、
を備え、前記切換部が開状態となることにより前記第１のアンテナ素子部又は前記第２のアンテナ素子部からなるアンテナ、前記切換部が閉状態となることにより前記第１のアンテナ素子部及び前記第２のアンテナ素子部からなるアンテナを構成させることを特徴とする無線通信装置。
【請求項８】
ヒンジ部を備えて開閉される筐体部にアンテナ装置を内蔵させた無線通信装置であって、
前記筐体部に設置された第１及び第２のアンテナ素子部と、
前記筐体部の開閉を検出する開閉検出部と、
前記第１のアンテナ素子部と前記第２のアンテナ素子部との間に設置され、前記開閉検出部の前記開閉の検出により開閉される切換部と、
を備え、前記切換部が開状態となることにより前記第１のアンテナ素子部又は前記第２のアンテナ素子部からなるアンテナ、前記切換部が閉状態となることにより前記第１のアンテナ素子部及び前記第２のアンテナ素子部からなるアンテナを構成させることを特徴とする無線通信装置。
【請求項９】
筐体部にアンテナ装置を内蔵させた無線通信装置であって、
前記筐体部に設置されたアンテナ素子部と、
前記筐体部に設置された接地導体と、
この接地導体と前記アンテナ素子部とを短絡させる短絡部と、
この短絡部に介挿されて開閉される切換部と、
を備え、前記切換部が開状態となることにより前記アンテナ素子部からなるアンテナ、前記切換部が閉状態となることにより前記アンテナ素子部に前記短絡部を付加してなるアンテナを構成させることを特徴とする無線通信装置。
【請求項１０】
ヒンジ部を備えて開閉される筐体部にアンテナ装置を内蔵させた無線通信装置であって、
前記筐体部に設置されたアンテナ素子部と、
前記筐体部に設置された接地導体と、
この接地導体と前記アンテナ素子部とを短絡させる短絡部と、
前記筐体部の開閉を検出する開閉検出部と、
前記短絡部に介挿され、前記開閉検出部の前記開閉の検出に基づき、開閉される切換部と、
を備え、前記切換部が開状態となることにより前記アンテナ素子部からなるアンテナ、前記切換部が閉状態となることにより前記アンテナ素子部と前記短絡部とからなるアンテナを構成させることを特徴とする無線通信装置。
【発明の詳細な説明】
【技術分野】
【０００１】
本発明は、折畳み構造を備える携帯電話機等、各種の無線通信装置に用いられるアンテナ装置に関し、例えば、筐体の開閉操作でアンテナ動作が切り換えられるアンテナ装置及び無線通信装置に関する。
【背景技術】
【０００２】
携帯電話機にはホイップアンテナ等の各種のアンテナが使用されるが、ホイップアンテナ等の筐体外に突出させる形態のアンテナは機能的に優れるものの、筐体上に突出物とな１、それが収納や取出し等に邪魔になる等、利便性が悪い。このため、筐体内に内蔵するアンテナが使用されて来ている。
【０００３】
このような携帯電話機の筐体内に内蔵されたアンテナに関し、折畳み可能な筐体に複数のアンテナを内蔵して筐体の開閉に関係なく、安定したアンテナ特性や通信品質を良好に維持するもの（例えば、特許文献１の段落番号００５０及び図１２）、また、複数のアンテナを切り換える構成とした携帯電話機（特許文献１の段落番号００５３及び図１５）等がある。また、折畳み可能な筐体に２つのアンテナが内蔵され、筐体が折り畳まれた状態で一方のアンテナ、筐体が折り畳まれていない状態で他方のアンテナを使用可能にしたものもある（例えば、特許文献２）。
【特許文献１】特開２００２−３６８８５０
【特許文献２】特開２００３−２０４２８１
【発明の開示】
【発明が解決しようとする課題】
【０００４】
ところで、携帯電話機等の無線通信装置では、筐体の小型化や折畳み構造化が進み、この種の筐体では、内蔵アンテナの設置空間が狭い。狭空間にアンテナを設置すれば、そのエレメントが接地導体（ＧＮＤ）に近接することになるが、折畳み構造を備えた無線通信装置では、その開閉による接地導体との距離により、アンテナ特性を劣化させるおそれがある。特許文献１、２には、斯かる課題の開示や示唆はなく、特許文献１、２に開示された構成では斯かる課題を解決することができない。
【０００５】
そこで、本発明は、筐体部に内蔵されるアンテナ装置に関し、アンテナ動作を切り換えることにより、アンテナ特性の劣化を防止することを第１の目的とする。
【０００６】
また、本発明は、折畳み構造を備える筐体に内蔵されるアンテナ装置に関し、筐体の開閉によってアンテナ動作を切り換えることにより、接地導体との近接によるアンテナ特性の劣化を防止することを第２の目的とする。
【課題を解決するための手段】
【０００７】
上記目的を達成するため、本発明のアンテナ装置は、筐体部に内蔵されるアンテナ装置であって、前記筐体部に設置された第１及び第２のアンテナ素子部と、前記第１のアンテナ素子部と前記第２のアンテナ素子部との間に介挿させて開閉する切換部とを備え、前記切換部が開状態となることにより前記第１のアンテナ素子部又は前記第２のアンテナ素子部からなるアンテナ、前記切換部が閉状態となることにより前記第１のアンテナ素子部及び前記第２のアンテナ素子部からなるアンテナを構成させるものである。斯かる構成によれば、第１のアンテナ素子部に対して第２のアンテナ素子部を付加し、又は、切り離すことができ、第１のアンテナ素子部のみからなるアンテナ、第１及び第２のアンテナ素子部からなるアンテナを編成することによりアンテナ動作を切り換えることができる。
【０００８】
上記目的を達成するためには、前記筐体部に開閉機構を備え、この開閉機構の開閉操作に応じて前記切換部を開状態又は閉状態に切り換える構成としてもよい。即ち、開閉機構は、筐体部間に設置された例えば、ヒンジ部で構成できるが、ヒンジ部以外の開閉部分を用いてもよい。
【０００９】
上記目的を達成するため、本発明のアンテナ装置は、ヒンジ部を備えて開閉される筐体部に内蔵されるアンテナ装置であって、前記筐体部に設置された第１及び第２のアンテナ素子部と、前記筐体部の開閉を検出する開閉検出部と、前記第１のアンテナ素子部と前記第２のアンテナ素子部との間に設置され、前記開閉検出部の前記開閉の検出により開閉される切換部とを備え、前記切換部が開状態となることにより前記第１のアンテナ素子部又は前記第２のアンテナ素子部からなるアンテナ、前記切換部が閉状態となることにより前記第１のアンテナ素子部及び前記第２のアンテナ素子部からなるアンテナを構成させてもよい。斯かる構成によれば、ヒンジ部によって開閉される筐体部の開閉が開閉検出部により検出され、その検出出力により切換部が開閉される。この結果、切換部が開状態となることにより第１のアンテナ素子部又は第２のアンテナ素子部からなるアンテナが構成され、また、切換部が閉状態となることにより第１のアンテナ素子部及び第２のアンテナ素子部からなるアンテナが構成され、アンテナ動作が切り換えられる。
【００１０】
上記目的を達成するため、本発明のアンテナ装置は、筐体部に内蔵されるアンテナ装置であって、前記筐体部に設置されたアンテナ素子部と、前記筐体部に設置された接地導体と、この接地導体と前記アンテナ素子部とを短絡させる短絡部と、この短絡部に介挿されて開閉される切換部とを備え、前記切換部が開状態となることにより前記アンテナ素子部からなるアンテナ、前記切換部が閉状態となることにより前記アンテナ素子部と前記短絡部とからなるアンテナを構成させてもよい。斯かる構成によれば、アンテナ素子部のみで例えば、モノポールアンテナが構成され、アンテナ素子部に短絡部が付加されることにより、例えば、逆Ｆアンテナが編成される。単一のアンテナ素子部に短絡部を付加するか否かにより、異なる特性を持つアンテナが編成される。モノポールアンテナでは、近接する接地導体が影響してアンテナ特性が劣化するのに対し、近接する接地導体を利用して逆Ｆアンテナが構成されるので、筐体部の開閉に対応して特性劣化のないアンテナを編成することができる。
【００１１】
上記目的を達成するためには、前記筐体部に開閉機構を備え、この開閉機構の開閉操作に応じて前記切換部を開状態又は閉状態に切り換える構成としてもよい。開閉機構は既述の通りである。
【００１２】
上記目的を達成するため、本発明のアンテナ装置は、ヒンジ部を備えて開閉される筐体部に内蔵されるアンテナ装置であって、前記筐体部に設置されたアンテナ素子部と、前記筐体部に設置された接地導体と、この接地導体と前記アンテナ素子部とを短絡させる短絡部と、前記筐体部の開閉を検出する開閉検出部と、前記短絡部に介挿され、前記開閉検出部の前記開閉の検出に基づき、開閉される切換部とを備え、前記切換部が開状態となることにより前記アンテナ素子部からなるアンテナ、前記切換部が閉状態となることにより前記アンテナ素子部と前記短絡部とからなるアンテナを構成させてもよい。即ち、このアンテナ装置では、切換部の切換えに開閉検出部の検出出力を用いており、切換部は、ダイオードや電子スイッチ等の素子で構成することができる。
【００１３】
上記目的を達成するため、本発明の無線通信装置は、筐体部にアンテナ装置を内蔵させた無線通信装置であって、前記筐体部に設置された第１及び第２のアンテナ素子部と、前記第１のアンテナ素子部と前記第２のアンテナ素子部との間に介挿させて開閉する切換部とを備え、前記切換部が開状態となることにより前記第１のアンテナ素子部又は前記第２のアンテナ素子部からなるアンテナ、前記切換部が閉状態となることにより前記第１のアンテナ素子部及び前記第２のアンテナ素子部からなるアンテナを構成させるものである。即ち、この無線通信装置は、例えば、携帯電話機として構成され、既述のアンテナ装置を内蔵して構成されている。
【００１４】
上記目的を達成するため、本発明の無線通信装置は、ヒンジ部を備えて開閉される筐体部にアンテナ装置を内蔵させた無線通信装置であって、前記筐体部に設置された第１及び第２のアンテナ素子部と、前記筐体部の開閉を検出する開閉検出部と、前記第１のアンテナ素子部と前記第２のアンテナ素子部との間に設置され、前記開閉検出部の前記開閉の検出により開閉される切換部とを備え、前記切換部が開状態となることにより前記第１のアンテナ素子部又は前記第２のアンテナ素子部からなるアンテナ、前記切換部が閉状態となることにより前記第１のアンテナ素子部及び前記第２のアンテナ素子部からなるアンテナを構成させてもよい。斯かる構成によれば、内蔵された第１及び第２のアンテナ素子部が筐体部の開閉により、単一又は両者の組み合わせによってアンテナが編成されるので、アンテナ特性の劣化やそれによる通信品質の影響を回避でき、安定した通信特性を維持できる。
【００１５】
上記目的を達成するため、本発明の無線通信装置は、筐体部にアンテナ装置を内蔵させた無線通信装置であって、前記筐体部に設置されたアンテナ素子部と、前記筐体部に設置された接地導体と、この接地導体と前記アンテナ素子部とを短絡させる短絡部と、この短絡部に介挿されて開閉される切換部とを備え、前記切換部が開状態となることにより前記アンテナ素子部からなるアンテナ、前記切換部が閉状態となることにより前記アンテナ素子部に前記短絡部を付加してなるアンテナを構成させてもよい。斯かる構成によれば、内蔵されたアンテナ素子部及び短絡部が切換部の切換えにより、アンテナ素子部のみ又はアンテナ素子部と短絡部との接続によってアンテナが編成されるので、アンテナ特性の劣化やそれによる通信品質の影響を回避でき、安定した通信特性を維持できる。
【００１６】
上記目的を達成するため、本発明の無線通信装置は、ヒンジ部を備えて開閉される筐体部にアンテナ装置を内蔵させた無線通信装置であって、前記筐体部に設置されたアンテナ素子部と、前記筐体部に設置された接地導体と、この接地導体と前記アンテナ素子部とを短絡させる短絡部と、前記筐体部の開閉を検出する開閉検出部と、前記短絡部に介挿され、前記開閉検出部の前記開閉の検出に基づき、開閉される切換部とを備え、前記切換部が開状態となることにより前記アンテナ素子部からなるアンテナ、前記切換部が閉状態となることにより前記アンテナ素子部と前記短絡部とからなるアンテナを構成させてもよい。斯かる構成によれば、内蔵されたアンテナ素子部及び短絡部がヒンジ部による筐体部の開閉により、アンテナ素子部のみ又はアンテナ素子部と短絡部との接続によってアンテナが編成されるので、既述した通り、アンテナ特性の劣化やそれによる通信品質の影響を回避でき、安定した通信特性を維持できる。
【発明の効果】
【００１７】
本発明によれば、次のような効果が得られる。
【００１８】
(1) 本発明のアンテナ装置によれば、筐体を開閉しても筐体内の接地導体とアンテナとの近接による影響を回避でき、アンテナ特性を劣化させることがなく、通信装置等の利便性を向上させることができる。
【００１９】
(2) 本発明のアンテナ装置によれば、筐体が折畳み構造により開閉されても、アンテナ特性を確保できるとともに、筐体からアンテナを突出させることもなく、携帯電話機等に用いられてその利便性を向上させることができる。
【００２０】
(3) 本発明の無線通信装置によれば、筐体を開閉しても筐体内の接地導体とアンテナとの近接によるアンテナ特性への影響を回避でき、安定したアンテナ特性を維持することができ、通信機能を高めることができる。
【発明を実施するための最良の形態】
【００２１】
第１の実施形態
本発明の第１の実施形態について、図１ないし図３を参照して説明する。図１は本発明の第１の実施形態に係る携帯電話機の開いた状態を示す図、図２は閉じた携帯電話機のアンテナ装置の概要を示す図、図３は図２と直交する方向から見た携帯電話機のアンテナ装置の概要を示す図である。
【００２２】
この携帯電話機２は、無線通信装置の一例であって、折畳み可能な第１及び第２の筐体部４、６を備えている。これら２つの筐体部４、６は、開閉機構としてのヒンジ部８を介して連結され、開いた状態（図１）、又は、閉じた状態（図２、図３）で維持される。これら筐体部４、６について、筐体部４は例えば、固定部として、筐体部６は例えば、可動部として用いられ、筐体部４には複数のキーからなるキー入力部１０、筐体部６にはＬＣＤ（Liquid Crystal Display）１２等が配置されている。
【００２３】
そして、筐体部４にはプリント配線板１４、筐体部６にはプリント配線板１６、アンテナ装置１８等が内蔵され、プリント配線板１６にはアンテナ装置１８の動作を切り換える動作切換部２０（図６）のスイッチ２１、アンテナ装置１８を通して送信、受信又は送受信を行う無線部２２等が実装されている。動作切換部２０（図６）は、既述のスイッチ２１を含んで構成され、アンテナ装置１８をモノポールアンテナ、逆Ｆアンテナ等、アンテナの編成形態及び動作形態を切り換えるスイッチ回路を構成している。無線部２２は例えば、アンテナ装置１８を通して電波による送受に用いられるが、送信のみに用いられる無線送信部、受信のみに用いられる無線受信部の何れか一方で構成してもよい。また、プリント配線板１４に形成された接地導体（ＧＮＤ）２４と、プリント配線板１６に形成された接地導体（ＧＮＤ）２６とは、ヒンジ部８に跨がるフレキシブル基板等の屈曲導体２８を介して接続され、同電位点を構成している。
【００２４】
アンテナ装置１８は、第１のアンテナ素子部としてのアンテナエレメント３０、第２のアンテナ素子部として短絡部３２及び給電部３４を備えている。アンテナエレメント３０は、送受信等に用いられる希望周波数ｆの波長λの４分の１波長（λ／４）より長く設定されて筐体部６の短手方向の例えば、内壁面部に沿って配設されている。短絡部３２は、アンテナエレメント３０の給電点（例えば、λ／４）の近傍位置、即ち、この実施形態では、アンテナエレメント３０の一端から給電点までの距離より長い距離ｍ（＞λ／４）の位置に形成されており、スイッチ２１のパッド部３６に接続されている。また、給電部３４は、アンテナエレメント３０の給電点に形成されて無線部２２のパッド部３８に接続されている。
【００２５】
次に、アンテナ装置１８の一例について、図４及び図５を参照して説明する。図４は、アンテナ装置１８を構成する導体板の一例を示す斜視図、図５は、アンテナ装置１８に付随するスイッチ２１及び無線部２２の一例を示す斜視図である。
【００２６】
これらアンテナエレメント３０、短絡部３２及び給電部３４は導体板で構成され、例えば、銅板や銅箔等の導電性の良い金属板やプリント配線板の導体パターン、合成樹脂等の基材の表面に金属を蒸着して形成されており、その一端部側の側片部に短絡部３２及び給電部３４が形成されている。給電部３４は、アンテナエレメント３０に設定された４分の１波長（λ／４、但し、λ：波長）の位置又はその近傍に設定された給電点に形成されている。この実施形態では、短絡部３２及び給電部３４は例えば、同形状の突出片であって、アンテナエレメント３０と直交方向よりアンテナエレメント３０の面部側に傾斜するように屈曲させ（図５）、その端部側をＶ字形に屈曲させ、その屈曲部を接続部４０、４２に形成している。そして、プリント配線板１６の上面にはスイッチ２１及び無線部２２が設置されており、スイッチ２１の上面部に形成されたパッド部３６には短絡部３２の接続部４０、無線部２２の上面部に形成されたパッド部３８には給電部３４の接続部４２が接続される。これらパッド部３６と接続部４０、パッド部３８と接続部４２の電気的な接続には、筐体部６からの応力を作用させることによるアンテナエレメント３０、短絡部３２及び給電部３４を構成する素材が持つ弾性を利用した機械的な接触でよく、また、はんだ等の接続材を用いてもよい。
【００２７】
次に、動作切換部２０について、図６を参照して説明する。図６は、アンテナ装置１８の動作切換部の一例を示している。
【００２８】
この動作切換部２０には、ヒンジ部８により筐体部４、６の開閉状態を検出する開閉検出部４４を備えている。アンテナ装置１８のアンテナエレメント３０とＧＮＤ２６との間に接続された既述のスイッチ２１は、この開閉検出部４４から出力される開閉検出信号によって切り換えられる。このスイッチ２１は、ＰＩＮダイオードや単極／双投スイッチ（ＳＰＤＴ：Single-pole/double-throw switch 又はSingle pole/dual-throw switch ）等で構成し、短絡部３２をＧＮＤ２６に接続か非接続かに切り換えるようにする。ヒンジ部８は筐体部４、６の開閉機構を構成しており、開閉検出部４４は、筐体部４、６が開状態（図１）の場合にそれを表す開閉検出信号としてＬ出力、筐体部４、６が閉状態（図２）の場合にそれを表す開閉検出信号としてＨ出力を発生する。このＬ出力又はＨ出力を受け、スイッチ２１は例えば、筐体部４、６が開状態（図１）の場合にＯＦＦ、筐体部４、６が閉状態（図２）の場合にＯＮ状態となる。このようなスイッチ２１の切換えにより、筐体部４、６が開状態（図１）の場合、短絡部３２はＧＮＤ２６から切り離され、筐体部４、６が閉状態（図２）の場合、短絡部３２はＧＮＤ２６に接続されて短絡状態となる。
【００２９】
斯かる構成のアンテナ装置１８の動作切換えについて、図７ないし図１１を参照して説明する。図７は、スイッチがＯＦＦ状態にある場合のアンテナ装置１８の動作切換部２０の構成を示すブロック図、図８は、その場合のアンテナ装置の編成を示す図、図９は、筐体部を開いた状態で編成されるアンテナ装置を示す図である。また、図１０は、スイッチがＯＮ状態にある場合のアンテナ装置１８の動作切換部２０の構成を示すブロック図、図１１は、その場合のアンテナ装置の編成を示す図である。
【００３０】
筐体部４、６が開状態（図１、図９）の場合には、スイッチ２１がＯＦＦ状態（図７）となり、図８の（Ａ）、（Ｂ）に示すように、短絡部３２がＧＮＤ２６から切り離され、アンテナエレメント３０には給電部３４を通じて無線部２２が接続される。この結果、図８の（Ｃ）に示すように、無線部２２に接続されたアンテナ装置１８はモノポールアンテナとして動作し、アンテナエレメント３０と筐体部４側のＧＮＤ２４とは、図９に示すように、直線状態となって離間し、アンテナ装置１８に対するＧＮＤ２４の影響を回避することができる。
【００３１】
また、筐体部４、６が閉状態（図２、図３）の場合には、スイッチ２１がＯＮ状態（図１０）となり、図１１の（Ａ）、（Ｂ）に示すように、短絡部３２がＧＮＤ２６に接続され、アンテナエレメント３０とＧＮＤ２６との間には短絡部３２とともに無線部２２が接続される。この結果、図１１の（Ｃ）に示すように、無線部２２に接続されたアンテナ装置１８は、短絡部３２が機能することにより逆Ｆアンテナとして動作する。この場合、アンテナエレメント３０と筐体部４側のＧＮＤ２４とは、図３に示すように、平行状態となって近接するが、この近接により、アンテナ装置１８は逆Ｆアンテナとして有効に機能することになる。このようなＧＮＤ２４の存在はモノポールアンテナでは障害になるのに対し、アンテナ装置１８が逆Ｆアンテナとして機能する場合にはＧＮＤ２４の存在を有効に利用することができる。
【００３２】
第２の実施形態
本発明の第２の実施形態について、図１２を参照して説明する。図１２は本発明の第２の実施形態に係るアンテナ装置の動作切換部を示すブロック図である。
【００３３】
第１の実施形態では、動作切換部２０に関し、開閉検出部４４の開閉検出信号を以てスイッチ２１を切り換え、ヒンジ部８による筐体部４、６の開閉動作によりアンテナ装置１８の編成をモノポールアンテナから逆Ｆアンテナ、逆Ｆアンテナからモノポールアンテナに切り換える構成であるが、この第２の実施形態では、開閉検出部４４の開閉検出信号を切換制御部４６に加え、この切換制御部４６の切換制御信号を以てスイッチ２１を切り換える構成としたものである。この切換制御部４６は、携帯電話機２に搭載される無線部２２等の制御を行うマイクロプロセッサで構成することができる。
【００３４】
第３の実施形態
本発明の第３の実施形態について、図１３を参照して説明する。図１３は本発明の第３の実施形態に係るアンテナ装置の動作切換部を示す図である。
【００３５】
第１及び第２の実施形態では、アンテナエレメント３０の側部に短絡部３２を突出させ、この短絡部３２にスイッチ２１を介在させた構成としたが、第３の実施形態に示すように、アンテナエレメント３０と独立した第２のアンテナ素子部として短絡片４８を設置し、この短絡片４８とアンテナエレメント３０との間を機械的に開閉する開閉部５０を設けた構成としてもよい。この開閉部５０を筐体部４、６の開閉に対応して開閉操作する構成とすれば、既述した通り、筐体部４、６の開状態でモノポールアンテナ、筐体部４、６の閉状態で逆Ｆアンテナとして動作させることができる。
【００３６】
次に、本発明のアンテナ装置の実測値について、図１４を参照して説明する。図１４は、筐体部の開閉に伴うアンテナ装置の利得改善データを示している。
【００３７】
既述の通り、アンテナ装置１８は、筐体部４、６を開状態にすると、モノポールアンテナとして正規化され、筐体部４、６を閉状態にすると、逆Ｆアンテナとして正規化される。この結果、アンテナ装置１８の利得について、本発明の実施により、筐体部４、６の開状態（モノポールアンテナ）で１〔ｄＢ〕、筐体部４、６の閉状態（逆Ｆアンテナ）で２．４〔ｄＢ〕の特性改善が確認された。
【００３８】
以上説明した実施形態について、その特徴事項や変形例を以下に列挙する。
【００３９】
(1) 上記実施形態では、筐体部６側にアンテナ装置１８を設置したが、筐体部４側に設置してもよい。
【００４０】
(2) 上記実施形態では、アンテナ装置１８の編成切換えを、モノポールアンテナと逆Ｆアンテナとの切換えのため、筐体部４、６の開閉に連動させたが、開閉機構はヒンジ部８で構成する必要はなく、他の開閉部の開閉やスイッチによってアンテナ編成を切り換えるようにしてもよい。
【００４１】
(3) 上記実施形態では、アンテナ装置１８がモノポールアンテナ及び逆Ｆアンテナで構成されており、斯かる構成によれば、単一のアンテナエレメント３０に短絡部３２を付加するか否かでアンテナ編成を切り換えることができる点で有利である。
【００４２】
(4) 上記実施形態では、アンテナ装置１８を内蔵する対象として、携帯電話機２を例示したが、携帯電話機２以外の無線通信装置に適用してもよい。
【００４３】
次に、以上述べた本発明のアンテナ装置及び無線通信装置の各実施形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【００４４】
（付記１）  筐体部に内蔵されるアンテナ装置であって、
前記筐体部に設置された第１及び第２のアンテナ素子部と、
前記第１のアンテナ素子部と前記第２のアンテナ素子部との間に介挿させて開閉する切換部と、
を備え、前記切換部が開状態となることにより前記第１のアンテナ素子部又は前記第２のアンテナ素子部からなるアンテナ、前記切換部が閉状態となることにより前記第１のアンテナ素子部及び前記第２のアンテナ素子部からなるアンテナを構成させることを特徴とするアンテナ装置。
【００４５】
（付記２）  前記筐体部に開閉機構を備え、この開閉機構の開閉操作に応じて前記切換部を開状態又は閉状態に切り換える構成としたことを特徴とする付記１記載のアンテナ装置。
【００４６】
（付記３）  前記第１のアンテナ素子部に給電部を設置し、この給電部と接地導体との間に送信部又は受信部を備えたことを特徴とする付記１記載のアンテナ装置。
【００４７】
（付記４）  前記第１のアンテナ素子部は導体板で構成されたことを特徴とする付記１記載のアンテナ装置。
【００４８】
（付記５）  ヒンジ部を備えて開閉される筐体部に内蔵されるアンテナ装置であって、
前記筐体部に設置された第１及び第２のアンテナ素子部と、
前記筐体部の開閉を検出する開閉検出部と、
前記第１のアンテナ素子部と前記第２のアンテナ素子部との間に設置され、前記開閉検出部の前記開閉の検出により開閉される切換部と、
を備え、前記切換部が開状態となることにより前記第１のアンテナ素子部又は前記第２のアンテナ素子部からなるアンテナ、前記切換部が閉状態となることにより前記第１のアンテナ素子部及び前記第２のアンテナ素子部からなるアンテナを構成させることを特徴とするアンテナ装置。
【００４９】
（付記６）  筐体部に内蔵されるアンテナ装置であって、
前記筐体部に設置されたアンテナ素子部と、
前記筐体部に設置された接地導体と、
この接地導体と前記アンテナ素子部とを短絡させる短絡部と、
この短絡部に介挿されて開閉される切換部と、
を備え、前記切換部が開状態となることにより前記アンテナ素子部からなるアンテナ、前記切換部が閉状態となることにより前記アンテナ素子部と前記短絡部とからなるアンテナを構成させることを特徴とするアンテナ装置。
【００５０】
（付記７）  前記筐体部に開閉機構を備え、この開閉機構の開閉操作に応じて前記切換部を開状態又は閉状態に切り換える構成としたことを特徴とする付記６記載のアンテナ装置。
【００５１】
（付記８）  ヒンジ部を備えて開閉される筐体部に内蔵されるアンテナ装置であって、
前記筐体部に設置されたアンテナ素子部と、
前記筐体部に設置された接地導体と、
この接地導体と前記アンテナ素子部とを短絡させる短絡部と、
前記筐体部の開閉を検出する開閉検出部と、
前記短絡部に介挿され、前記開閉検出部の前記開閉の検出に基づき、開閉される切換部と、
を備え、前記切換部が開状態となることにより前記アンテナ素子部からなるアンテナ、前記切換部が閉状態となることにより前記アンテナ素子部と前記短絡部とからなるアンテナを構成させることを特徴とするアンテナ装置。
【００５２】
（付記９）  前記アンテナ素子部に給電部を設置し、この給電部と前記接地導体との間に送信部又は受信部を備えたことを特徴とする付記８記載のアンテナ装置。
【００５３】
（付記１０）  前記アンテナ素子部は導体板で構成されたことを特徴とする付記８記載のアンテナ装置。
【００５４】
（付記１１）  前記アンテナ素子部は導体板で形成し、この導体板の側部から突出させた導体片で前記短絡部が構成されたことを特徴とする付記８記載のアンテナ装置。
【００５５】
（付記１２）  前記アンテナ素子部でモノポールアンテナを構成し、前記アンテナ素子部と前記短絡部とで逆Ｆアンテナを構成することを特徴とする付記８記載のアンテナ装置。
【００５６】
（付記１３）  筐体部にアンテナ装置を内蔵させた無線通信装置であって、
前記筐体部に設置された第１及び第２のアンテナ素子部と、
前記第１のアンテナ素子部と前記第２のアンテナ素子部との間に介挿させて開閉する切換部と、
を備え、前記切換部が開状態となることにより前記第１のアンテナ素子部又は前記第２のアンテナ素子部からなるアンテナ、前記切換部が閉状態となることにより前記第１のアンテナ素子部及び前記第２のアンテナ素子部からなるアンテナを構成させることを特徴とする無線通信装置。
【００５７】
（付記１４）  ヒンジ部を備えて開閉される筐体部にアンテナ装置を内蔵させた無線通信装置であって、
前記筐体部に設置された第１及び第２のアンテナ素子部と、
前記筐体部の開閉を検出する開閉検出部と、
前記第１のアンテナ素子部と前記第２のアンテナ素子部との間に設置され、前記開閉検出部の前記開閉の検出により開閉される切換部と、
を備え、前記切換部が開状態となることにより前記第１のアンテナ素子部又は前記第２のアンテナ素子部からなるアンテナ、前記切換部が閉状態となることにより前記第１のアンテナ素子部及び前記第２のアンテナ素子部からなるアンテナを構成させることを特徴とする無線通信装置。
【００５８】
（付記１５）  筐体部にアンテナ装置を内蔵させた無線通信装置であって、
前記筐体部に設置されたアンテナ素子部と、
前記筐体部に設置された接地導体と、
この接地導体と前記アンテナ素子部とを短絡させる短絡部と、
この短絡部に介挿されて開閉される切換部と、
を備え、前記切換部が開状態となることにより前記アンテナ素子部からなるアンテナ、前記切換部が閉状態となることにより前記アンテナ素子部に前記短絡部を付加してなるアンテナを構成させることを特徴とする無線通信装置。
【００５９】
（付記１６）  ヒンジ部を備えて開閉される筐体部にアンテナ装置を内蔵させた無線通信装置であって、
前記筐体部に設置されたアンテナ素子部と、
前記筐体部に設置された接地導体と、
この接地導体と前記アンテナ素子部とを短絡させる短絡部と、
前記筐体部の開閉を検出する開閉検出部と、
前記短絡部に介挿され、前記開閉検出部の前記開閉の検出に基づき、開閉される切換部と、
を備え、前記切換部が開状態となることにより前記アンテナ素子部からなるアンテナ、前記切換部が閉状態となることにより前記アンテナ素子部と前記短絡部とからなるアンテナを構成させることを特徴とする無線通信装置。
【００６０】
以上説明したように、本発明の最も好ましい実施形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【００６１】
本発明は、折畳み構造を備える携帯電話機等、各種の無線通信装置に用いられるアンテナ装置に関し、筐体を開閉しても筐体内の接地導体とアンテナとの近接によるアンテナ特性の劣化を防止でき、筐体部の突出物を無くすことができる等、無線通信装置等の利便性を向上させることができ、有用である。
【図面の簡単な説明】
【００６２】
【図１】本発明の第１の実施形態に係る携帯電話機を示す図である。
【図２】携帯電話機に内蔵されたアンテナ装置を示す図である。
【図３】携帯電話機に内蔵されたアンテナ装置を示す図である。
【図４】アンテナ装置を構成する導体板の形状を示す斜視図である。
【図５】アンテナ装置、スイッチ及び無線部の一例を示す斜視図である。
【図６】アンテナ装置の動作切換部を示すブロック図である。
【図７】筐体部を開いた場合のアンテナ装置の編成を示すブロック図である。
【図８】筐体部を開いた場合のアンテナ装置の編成を示す図である。
【図９】筐体部を開いた場合のアンテナ装置の編成を示す図である。
【図１０】筐体部を閉じた場合のアンテナ装置の編成を示すブロック図である。
【図１１】筐体部を閉じた場合のアンテナ装置の編成を示す図である。
【図１２】本発明の第２の実施形態に係るアンテナ装置の動作切換部を示すブロック図である。
【図１３】本発明の第３の実施形態に係るアンテナ装置を示す図である。
【図１４】本発明に係るアンテナ装置の実測値を示す図である。
【符号の説明】
【００６３】
２  携帯電話機
４、６  筐体部
８  ヒンジ部（開閉機構）
１８  アンテナ装置
２０  動作切換部
２１  スイッチ（切換部）
２２  無線部
２４、２６  接地導体
３０  アンテナエレメント（アンテナ素子部）
３２  短絡部（アンテナ素子部）
３４  給電部
４４  開閉検出部
【図１】
2006129386.tif 000003
【図２】
2006129386.tif 000004
【図３】
2006129386.tif 000005
【図４】
2006129386.tif 000006
【図５】
2006129386.tif 000007
【図６】
2006129386.tif 000008
【図７】
2006129386.tif 000009
【図８】
2006129386.tif 000010
【図９】
2006129386.tif 000011
【図１０】
2006129386.tif 000012
【図１１】
2006129386.tif 000013
【図１２】
2006129386.tif 000014
【図１３】
2006129386.tif 000015
【図１４】
2006129386.tif 000016